(57)【要約】【課題】スクロール操作を行うこと無く、所望の項目を自由に入れ換えて画面表示することができる一覧表画面表示装置を提供する。【解決手段】ディスプレイ装置の画面に複数の項目から成る一覧表を所望の項目順に並び換えて表示する一覧表画面表示装置において、画面に一覧表を表示するデータが格納されたデータベースと、画面に表示された一覧表の項目を指定して選択する第１及び第２の選択手段と、第１及び第２の選択手段によりどの項目が選択されたかを検出する項目検出手段と、第１及び第２の選択手段の何れで項目の選択が行われたかを検出する選択検出手段と、項目検出手段及び選択検出手段の検出結果に応じて一覧表を変更するためのデータをデータベースから読み出す読出制御手段と、読出制御手段により読みだされたデータが、第１及び第２の選択手段の項目選択動作に応じた項目欄及びその内容データを、第１及び第２の選択手段により選択された変更したい項目欄に表示する制御を行う。【選択図】　　　　図１
2004005708.tif 000002
【特許請求の範囲】
【請求項１】
ディスプレイ装置の画面に複数の項目から成る一覧表を所望の項目順に並び換えて表示する一覧表画面表示装置であって、
前記画面に前記一覧表を表示するデータが格納されたデータベースと、
該画面に表示された一覧表の項目を指定して選択する第１及び第２の選択手段と、
該第１及び第２の選択手段によりどの項目が選択されたかを検出する項目検出手段と、
該第１及び第２の選択手段の何れで項目の選択が行われたかを検出する選択検出手段と、
該項目検出手段及び該選択検出手段の検出結果に応じて一覧表を変更するためのデータを該データベースから読み出す読出制御手段と、
該読出制御手段により読みだされたデータが、該第１の選択手段の項目選択動作によるものである場合に、選択された項目の、初期状態の項目配列における次の項目及びこの内容データを、該第１の選択手段により選択された変更したい項目欄に表示する制御を行い、該第２の選択手段の項目選択動作によるものである場合に、選択された項目の、初期状態の項目配列における１つ前の項目及びこの内容データを、該第２の選択手段により選択された変更したい項目欄に表示する制御を行う表示制御手段とを具備したことを特徴とする一覧表画面表示装置。
【発明の詳細な説明】
【０００１】
【発明の属する技術分野】
本発明はディスプレイ装置の画面に複数の項目から成る一覧表を、データベースから読みだし所望とする項目順に並び換えて表示する一覧表画面表示装置に関する。
【０００２】
例えば、企画、生産、販売、及び財務等のビジネスデータを対象として取り扱う場合、管理や改善等に役立てるために、ビジネスデータを一覧表として画面に表示する。
【０００３】
この場合、使用者が自分の見やすいような項目順にデータ表示を行う必要があるが、項目数が多い場合、それを検索表示するのに手間取ったり、また表示装置によっては所望とする順序に項目が配列できなかったりする欠点がある。そこでそれらの欠点を補うことが可能な表示装置が要望されている。
【０００４】
【従来の技術】
従来の一覧表画面表示装置を説明する。
【０００５】
最初に、項目移動方式について説明する。項目移動方式は見出し項目を移動して見たい位置に表示するものである。
【０００６】
一覧表の項目数が多い場合、１画面に全ての項目が表示しきれず、図２５に示すように、表示部分１と、破線で示す未表示部分２とができる。
【０００７】
この際に、例えば「担当者名」を「営業所名」の次に表示して見たい場合、まず、図２５に示す一覧表全体のレイアウトを把握する。この把握は所定のキー操作によって一覧表をスクロールして行う。
【０００８】
図２６に図２５の状態から１項目分右にスクロールした画面状態を示し、図２７に２項目分スクロールした状態を示す。このようにして所望とする項目の「担当者名」を画面に表示する。
【０００９】
次に、図２８に太線枠３で囲む「担当者名」の部分を移動するように所定のキー操作を行う。次に、この画面状態から図２９及び図３０に示すように左に順次スクロールを行って移動先場所を表示する。
【００１０】
そして、図３１に太線枠４で示す「部名」の項目欄に「担当者名」の項目欄を移動するようにキー操作を行う。この結果、図３２に示すように「営業所名」の横に「担当者名」を表示することができる。
【００１１】
次に、折りたたみ方式について説明する。折りたたみ方式は離れた項目を１画面に表示するものである。
【００１２】
上述の項目移動方式で図２５を参照して説明したように、画面に表示する一覧表に表示部分１と、破線で示す未表示部分２とがあり、「担当者名」を「営業所名」の次に表示して見るものとする。この場合も同様に、まず、図２５に示す一覧表全体のレイアウトを把握する。
【００１３】
次に、図３３に太線枠５で示すように、折りたたみの開始位置、即ち表示しない項目の開始位置を所定のキー操作によって指定する。
【００１４】
次に、折りたたみの終了位置、即ち表示しない項目の終了位置を画面表示するためにスクロールを行う。図３４に図３３の状態から１項目分右にスクロールした画面状態を示す。
【００１５】
そして、図３５に太線枠６で示すように表示しない項目の終了位置を指定すると、この操作によって開始位置５〜終了位置６の間の項目が画面から消去され、この結果、図３２にしめしたように「営業所名」の横に「担当者名」を表示することができる。
【００１６】
次に、画面分割方式について説明する。画面分割方式は画面を分割することによって離れた項目を１画面に表示するものである。
【００１７】
上述の項目移動方式で図２５を参照して説明したように、画面に表示する一覧表に表示部分１と、破線で示す未表示部分２とがあり、「担当者名」を「営業所名」の次に表示して見るものとする。この場合も同様に、まず、図２５に示す一覧表全体のレイアウトを把握する。
【００１８】
次に、画面を分割するキー操作を行う。図３６にしめすように、矢印７で示す「担当者名」を横並びにしたい「営業所名」の左の位置で分割すると、分割された右画面に同じ一覧表の最左端部の項目が表示される。
【００１９】
次に、右画面において所望とする項目が表示されるまでスクロールを行う。右画面を図３６の状態から右に１項目スクロールすると図３７に示す状態となり、２項目スクロールすると図３８に示す状態、３項目スクロールすると図３９に示す状態となる。
【００２０】
そして、４項目スクロールすると図３２にしめしたように「営業所名」の横に「担当者名」を表示することができる。
【００２１】
【発明が解決しようとする課題】
ところで、上述した項目移動方式においては、移動させたい項目が未表示部分に存在する場合は、その項目が表示されるまでスクロールを行わねばならず、またその項目で所定の移動させるための操作を行った後、移動先が画面表示されるまで再びスクロールを行わねばならないので、操作が面倒であるといった問題がある。
【００２２】
折りたたみ方式においては、表示したくない部分の両端の項目を指定しなければならず、このためスクロール操作が必要となるので、項目移動方式同様、操作が面倒であるといった問題がある。また、項目の入替えが出来ない問題がある。
【００２３】
画面分割方式においても、画面分割を行った後、一方の画面で所望項目が出てくるまでスクロールを行わねばならないので、操作が面倒であるといった問題がある。
【００２４】
本発明は、このような点に鑑みてなされたものであり、スクロール操作を行うこと無く、所望の項目を自由に入れ換えて画面表示することができる一覧表画面表示装置を提供することを目的としている。
【００２５】
【課題を解決するための手段】
図１に本発明の一覧表画面表示装置の原理図を示す。図中、１１はディスプレイ装置の画面であり、データベース１４から読みだされた一覧表表示用データに応じて複数の項目から成る一覧表を表示するものである。
【００２６】
１２は選択手段（第１及び第２の選択手段）であり、画面１１に表示された一覧表の項目を指定して選択するものである。
【００２７】
３１は項目検出手段であり、選択手段１２によりどの項目が選択されたかを検出するものである。
【００２８】
３２は選択検出手段であり、第１及び第２の選択手段の何れで項目の選択が行われたかを検出するものである。
【００２９】
３３は読出制御手段であり、項目検出手段３１及び選択検出手段３２の検出結果に応じて一覧表を変更するためのデータをデータベース１４から読み出すものである。
【００３０】
３４は表示制御手段であり、読出制御手段３３により読みだされたデータが、第１の選択手段の項目選択動作によるものである場合に、選択された項目の、初期状態の項目配列における次の項目及びこの内容データを、第１の選択手段により選択された変更したい項目欄に表示する制御を行い、第２の選択手段の項目選択動作によるものである場合に、選択された項目の、初期状態の項目配列における１つ前の項目及びこの内容データを、第２の選択手段により選択された変更したい項目欄に表示する制御を行うものである。
【００３１】
上述した本発明によれば、画面１１に表示された一覧表の項目を所望とする順序に並び換える場合、変更したい項目を利用者が第１又は第２の選択手段１２で選択すると、どの項目が選択されたかが項目検出手段３１で検出され、第１及び第２の選択手段の何れで項目の選択が行われたかを選択検出手段３２で検出する。この検出結果に応じたデータが読出制御手段３３の制御によってデータベース１４から読み出される。
【００３２】
表示制御手段３４の制御によって、読出制御手段３３により読みだされたデータが、第１の選択手段の項目選択動作によるものである場合に、選択された項目の、初期状態の項目配列における次の項目及びこの内容データが、第１の選択手段により選択された変更したい項目欄に表示され、第２の選択手段の項目選択動作によるものである場合に、選択された項目の、初期状態の項目配列における１つ前の項目及びこの内容データが、第２の選択手段により選択された変更したい項目欄に表示される。
【００３３】
このように、利用者は第１又は第２の選択手段１２による選択操作のみで、所望の項目を自由に入れ替えて表示することができる。
【００３４】
【発明の実施の形態】
以下、図面を参照して本発明の実施例について説明する。図２は本発明の第１実施例による一覧表画面表示装置を説明するための画面表示システムのブロック構成図である。
【００３５】
図２は、通常のコンピュータシステムにおける本発明の特徴要素を示したものであり、他の部分は省略してある。
【００３６】
図２において、１１はディスプレイ装置の画面、１２はマウス、３１は項目検出手段、１３は読出制御手段、１４はデータベース、１５は第１の表示制御手段、１６は第２の表示制御手段である。
【００３７】
マウス１２は、画面１１に表示された一覧表の所望箇所をクリックすることによって一覧表の変更動作を行う操作を司るものである。
【００３８】
項目検出手段３１は、マウス１２で画面１１に表示されているどの見出し項目がクリックされたかを検出するものである。
【００３９】
第１読出制御手段１３は、どの見出し項目をマウス１２がクリックしたかに応じてデータベース１４から一覧表を変更するためのデータを読み出し、第１及び第２の表示制御手段１５，１６へ出力するものである。
【００４０】
第１の表示制御手段１５は、マウス１２で一覧表の任意の項目をクリックした際に第１読出制御手段１３がデータベース１４から読みだしたデータに応じて、クリックされた項目の欄に他の項目を縦配列に表示する制御を行うものである。
【００４１】
第２の表示制御手段１６は、第１の表示制御手段１５の制御によって表示された縦配列の項目をマウス１２でクリックし、この際に第１読出制御手段１３がデータベース１４から読みだしたデータに応じて、その縦配列の項目が表示された欄全体に、クリックされた項目とそのデータ内容を表示する制御を行うものである。
【００４２】
この様な構成において、画面１１に図３に示す一覧表が表示されているものとする。一覧表は、図示するように左から順に、「地域名」、「営業所名」、「部名」、「課名」、「担当者名」、「ＴＥＬ番号」、「備考」の見出し項目が配列されて構成されている。但し、破線で示す「ＴＥＬ番号」及び「備考」は画面１１に表示されていないものとする。
【００４３】
このような一覧表を、使用者が変更する場合、例えば「部名」、「営業所名」、「ＴＥＬ番号」、「課名」、「担当者名」の順に変更して画面１１に表示する場合について説明する。
【００４４】
まず、矢印１８で示す見出し項目の「地域名」を、マウス１２でクリックする。この「地域名」がクリックされたことを項目検出手段３１が検出し、この検出結果に応じて第１読出制御手段１３がデータベース１４から「地域名」の下欄に他の見出し項目を縦配列に表示するためのデータを読み出し、第１の表示制御手段１５へ出力する。
【００４５】
この出力データに応じて第１の表示制御手段１５は「地域名」の下欄に他の見出し項目を表示する制御を行う。この結果、図４に太線枠１９で示すように「地域名」の下欄に他の見出し項目が表示される。
【００４６】
ここで「地域名」位置に「部名」を配置したいので、矢印２０で示すように「部名」をマウス１２でクリックする。
【００４７】
このクリックに応じて第１読出制御手段１３がデータベース１４から「地域名」の位置に「部名」を表示するためのデータを読み出し、第２の表示制御手段１６へ出力する。
【００４８】
この出力データに応じて第２の表示制御手段１６は「地域名」の位置に「部名」を表示する制御を行う。この結果、図５に示すように、「地域名」の欄の位置に「部名」及びそのデータ内容が表示される。
【００４９】
次に、初期状態から表示されている「部名」の位置に「ＴＥＬ番号」を表示したいので、矢印２１で示す「部名」をクリックする。このクリックに応じて第１読出制御手段１３がデータベース１４から「部名」の下欄に他の見出し項目を縦配列に表示するためのデータを読み出し、第１の表示制御手段１５へ出力する。
【００５０】
この出力データに応じて第１の表示制御手段１５は「部名」の下欄に他の見出し項目を表示する制御を行う。この結果、図６に太線枠２２で示すように「部名」の下欄に他の見出し項目が表示される。
【００５１】
ここで太線枠２２の「部名」位置に「ＴＥＬ番号」を配置したいので、矢印２３で示すように「ＴＥＬ番号」をクリックする。
【００５２】
このクリックに応じて第１読出制御手段１３がデータベース１４から太線枠２２の「部名」の位置に「ＴＥＬ番号」を表示するためのデータを読み出し、第２の表示制御手段１６へ出力する。
【００５３】
この出力データに応じて第２の表示制御手段１６は太線枠２２の「部名」の位置に「ＴＥＬ番号」を表示する制御を行う。この結果、図７に２４で示すように、先の太線枠２２の「部名」の欄の位置に「ＴＥＬ番号」及びそのデータ内容が表示される。
【００５４】
即ち、使用者が所望する「部名」、「営業所名」、「ＴＥＬ番号」、「課名」、「担当者名」の順に見出し項目が配列されて画面１１に表示されることになる。
【００５５】
以上説明した第１実施例によれば、画面１１に表示された一覧表を、マウス１２による数少ないクリック操作のみで、所望の項目を自由に入れ換えて表示することができる。従って、従来のように面倒なスクロール操作、項目を入れ換えることができないといった問題を解消することができる。
【００５６】
また、第１実施例において、図３及び図５に矢印１８及び２１で示したクリック箇所を見出し項目のみならず、図８に太線枠２５で示すように見出し項目の欄全体の何れかをクリックできるようにしてもよい。この場合、図示はせぬがクリック範囲の指定制御を行う手段を設ける。
【００５７】
更に、変更項目のクリック方法として、図９に太線枠２６で示すように、画面１１の下部等のデータ表示を阻害しない位置に、現在の見出し項目の一覧表を表示し、この表示された見出し項目をクリックするようにしてもよい。現在の見出し項目の一覧表は、この一覧表を表示する制御手段を設けておき、図示せぬキーボードからキー操作に応じてその制御手段が表示するようにしてもよく、また常時表示する手段を設けて画面１１に常時表示するようにしてもよい。
【００５８】
更には、図４及び図６に太線枠１９及び２２で示した見出し項目の下欄に、他の見出し項目を表示するようになっているが、これを図１０に符号２７で示す現在画面１１に表示されている見出し項目と、符号２８で示すように画面１１に表示されていない項目があることを示す「その他」として表示するようにしてもよい。この場合、図２に示した第１の表示制御手段１５が、図１０に符号２７，２８で示すように表示する制御を行うようにする必要がある。
【００５９】
また、図４及び図６に太線枠１９及び２２で示した見出し項目の下欄に、他の見出し項目を表示する代わりに、図１１に太線枠２９で示すように、画面１１の任意部分に横長に数行に渡って全ての見出し項目が表示されるようにしてもよい。この場合、図２に示した第１の表示制御手段１５が、図１１に符号２９で示すように表示する制御を行うようにする必要がある。
【００６０】
次に、第２実施例による画面表示システムを図１２を参照して説明する。但し、図１２に示す第２実施例において図２に示した第１実施例の各部に対応する部分には同一符号を付し、その説明を省略する。
【００６１】
図１２において、３２はクリック検出手段、３３は第２読出制御手段、３４は第３表示制御手段である。
【００６２】
項目検出手段３１は、マウス１２で画面１１に表示されているどの見出し項目がクリックされたかを検出するものである。
【００６３】
クリック検出手段３２は、マウス１２の第１及び第２クリック操作手段（図示せず）の内、何れのクリック操作手段でクリック操作が行われたかを検出するものである。
【００６４】
第２読出制御手段３３は、どの見出し項目がマウス１２の第１又は第２クリック操作手段でクリックされたかに応じて、画面１１に表示されている一覧表の見出し項目欄を変更するためのデータをデータベース１４から読みだして第３表示制御手段３４へ出力するものである。
【００６５】
第３表示制御手段３４は、第５読出制御手段３４がデータベース１４から読みだしたデータに応じて、クリックされた見出し項目欄に他の見出し項目欄を表示する制御を行うものである。
【００６６】
この制御は、例えばマウス１２の第１クリック操作手段で、図１３に符号３５で示す「営業所名」がクリックされたとすると、この初期画面状態で表示される見出し項目の配列順における「営業所名」の次の「部名」を、「営業所名」の位置に表示し、一方、第２クリック操作手段で「営業所名」がクリックされたとすると、「営業所名」の前の「地域名」を、「営業所名」の位置に表示するものである。
【００６７】
このような構成における項目欄変更動作例を説明する。
【００６８】
例えばマウス１２の第１クリック操作手段で、図１４に太線枠３６で示す「地域名」がクリックされたとする。この場合、項目検出手段３１が「地域名」がクリックされたことを検出し、またクリック検出手段３２がマウス１２の第１クリック操作手段でクリックが行われたことを検出する。
【００６９】
それら検出結果に応じたデータを、第２読出制御手段３３がデータベース１４から読みだす。この読みだされたデータに応じて、第３表示制御手段３４が、図１５に符号３７で示すように、図１４の「地域名」の位置に「営業所名」を表示する。この場合、「営業所名」の下欄のデータ内容も同時に表示される。
【００７０】
更に、符号３７で示す「営業所名」が第１クリック操作手段でクリックされると、初期状態である図１４の「営業所名」の次の「部名」が、図１６に符号３８で示すように、図１５の符号３７で示した位置に表示される。
【００７１】
以上説明した第２実施例によれば、所望の見出し項目をマウス１２の第１及び第２クリック操作手段でクリックすることによって、そのクリックされた初期配列における見出し項目の前後の見出し項目を、クリックされた見出し項目位置に表示することができる。従って、マウス１２によるクリック操作のみで、所望の項目を自由に入れ換えて表示することができる。
【００７２】
次に、第３実施例による画面表示システムを図１７を参照して説明する。但し、図１７に示す第３実施例において図２に示した第１実施例の各部に対応する部分には同一符号を付し、その説明を省略する。
【００７３】
図１７に示す第３実施例システムは、図１８に示すように画面１１に表示される一覧表が大見出し項目４５と小見出し項目４６とから構成される場合に、項目を所望の配列に変更するためのものである。
【００７４】
図１７において、４０は第４表示制御手段、４１は第５表示制御手段、４２は第６表示制御手段、４３は第７表示制御手段である。
【００７５】
第４表示制御手段４０は、マウス１２で一覧表の任意の大見出し項目をクリックした際に第１読出制御手段１３がデータベース１４から読みだしたデータに応じて、クリックされた大見出し項目の欄に他の大見出し項目を縦配列に表示する制御を行うものである。
【００７６】
第５表示制御手段４１は、第４表示制御手段４０の制御によって表示された縦配列の大見出し項目をマウス１２でクリックし、この際に第１読出制御手段１３がデータベース１４から読みだしたデータに応じて、その縦配列の大見出し項目が表示された大見出し項目の欄全体に、クリックされた大見出し項目とそのデータ内容を表示する制御を行うものである。
【００７７】
第６表示制御手段４２は、マウス１２で一覧表の任意の小見出し項目をクリックした際に第１読出制御手段１３がデータベース１４から読みだしたデータに応じて、クリックされた小見出し項目の欄に他の小見出し項目を縦配列に表示する制御を行うものである。
【００７８】
第７表示制御手段４３は、第６表示制御手段４２の制御によって表示された縦配列の小見出し項目をマウス１２でクリックし、この際に第１読出制御手段１３がデータベース１４から読みだしたデータに応じて、その縦配列の小見出し項目が表示された小見出し項目の欄全体に、クリックされた小見出し項目とそのデータ内容を表示する制御を行うものである。
【００７９】
この様な構成において、画面１１に図１８に示す一覧表が表示されているものとする。一覧表は、図示するように大見出し項目が左から順に、「部署」、「人件副費」、「図書費」の順に配列され、「部署」の小見出し項目として「部名」及び「課名」が配列され、「人件副費」の小見出し項目として「一般教育」、「新人教育」、及び「その他」が、「図書費」の小見出し項目として「市販図書」、「マニュアル」、及び「雑誌」が配列されて構成されている。但し、破線で示す「図書費」の欄は画面１１に表示されていないものとし、また、現在表示されている大見出し項目に係わる小見出し項目においても全てが表示されていないものとする。
【００８０】
このような一覧表を、使用者が変更する場合、例えば大見出し項目を「部署」と「人件副費」に変更して表示し、また「部署」に係わる小見出し項目を「部名」と「部コード」に変更して表示する場合について説明する。
【００８１】
まず、図１８に矢印４７で示す「人件副費」を、マウス１２でクリックする。この「人件副費」がクリックされたことを項目検出手段３１が検出し、この検出結果に応じて第１読出制御手段１３がデータベース１４から「人件副費」の下欄に他の大見出し項目を縦配列に表示するためのデータを読み出し、第４表示制御手段４０へ出力する。
【００８２】
この出力データに応じて第４表示制御手段４０は「人件副費」の下欄に他の大見出し項目を表示する制御を行う。この結果、図１９に太線枠４８で示すように「人件副費」の下欄に他の大見出し項目が表示される。
【００８３】
ここで「人件副費」の欄に「図書費」を配置したいので、矢印４９で示すように「図書費」をマウス１２でクリックする。
【００８４】
この「図書費」がクリックされたことを項目検出手段３１が検出し、この検出結果に応じて、第１読出制御手段１３がデータベース１４から「人件副費」の欄に「図書費」を表示するためのデータを読み出し、第５表示制御手段４１へ出力する。
【００８５】
この出力データに応じて第５表示制御手段４１は「人件副費」の位置に「図書費」を表示する制御を行う。この結果、図２０に示すように、図１９に示した「人件副費」の欄に「図書費」及びそのデータ内容が表示される。
【００８６】
次に、初期状態から表示されている「課名」の位置に画面１１表示されていない「部コード」を表示したいので、矢印５０で示す小見出し項目の「課名」をクリックする。この「課名」がクリックされたことを項目検出手段３１が検出し、この検出結果に応じて、第１読出制御手段１３がデータベース１４から「課名」の下欄に「部署」に係わる他の小見出し項目を縦配列に表示するためのデータを読み出し、第６表示制御手段４２へ出力する。
【００８７】
この出力データに応じて第６表示制御手段４２は「課名」の下欄に他の小見出し項目を表示する制御を行う。この結果、図２１に太線枠５１で示すように「課名」の下欄に他の小見出し項目が表示される。
【００８８】
ここで「課名」の欄に「部コード」を表示したいので、矢印５２で示すように「部コード」をクリックする。
【００８９】
この「課名」がクリックされたことを項目検出手段３１が検出し、この検出結果に応じて第１読出制御手段１３がデータベース１４から「課名」の位置に「部コード」を表示するためのデータを読み出し、第７表示制御手段４３へ出力する。
【００９０】
この出力データに応じて第７表示制御手段４３は「課名」の位置に「部コード」を表示する制御を行う。この結果、図２２に符号５３で示すように、「部コード」及びそのデータ内容が表示される。
【００９１】
以上説明した第３実施例によれば、第１実施例と同様の効果を得ることができる。
【００９２】
なお、上述した説明においては、一覧表の見出し項目が横に配列された場合を例にしたが、図２４に示すように見出し項目が縦に配列された一覧表であっても同様に項目の変更を行うことができる。
【００９３】
【発明の効果】
以上説明したように、本発明の一覧表画面表示装置によれば、スクロール操作を行うこと無く、所望の項目を自由に入れ換えて画面表示することができる効果がある。
【図面の簡単な説明】
【図１】本発明の原理図である。
【図２】本発明の第１実施例による一覧表画面表示装置を説明するための画面表示システムのブロック構成図である。
【図３】実施例を説明するための第１の画面表示一覧表を示す図である。
【図４】実施例を説明するための第２の画面表示一覧表を示す図である。
【図５】実施例を説明するための第３の画面表示一覧表を示す図である。
【図６】実施例を説明するための第４の画面表示一覧表を示す図である。
【図７】実施例を説明するための第５の画面表示一覧表を示す図である。
【図８】実施例を説明するための第６の画面表示一覧表を示す図である。
【図９】実施例を説明するための第７の画面表示一覧表を示す図である。
【図１０】実施例を説明するための第８の画面表示一覧表を示す図である。
【図１１】実施例を説明するための第９の画面表示一覧表を示す図である。
【図１２】本発明の第２実施例による一覧表画面表示装置を説明するための画面表示システムのブロック構成図である。
【図１３】実施例を説明するための第１０の画面表示一覧表を示す図である。
【図１４】実施例を説明するための第１１の画面表示一覧表を示す図である。
【図１５】実施例を説明するための第１２の画面表示一覧表を示す図である。
【図１６】実施例を説明するための第１３の画面表示一覧表を示す図である。
【図１７】本発明の第３実施例による一覧表画面表示装置を説明するための画面表示システムのブロック構成図である。
【図１８】実施例を説明するための第１４の画面表示一覧表を示す図である。
【図１９】実施例を説明するための第１５の画面表示一覧表を示す図である。
【図２０】実施例を説明するための第１６の画面表示一覧表を示す図である。
【図２１】実施例を説明するための第１７の画面表示一覧表を示す図である。
【図２２】実施例を説明するための第１８の画面表示一覧表を示す図である。
【図２３】実施例を説明するための第１９の画面表示一覧表を示す図である。
【図２４】実施例を説明するための第２０の画面表示一覧表を示す図である。
【図２５】従来例を説明するための第１の画面表示一覧表を示す図である。
【図２６】従来例を説明するための第２の画面表示一覧表を示す図である。
【図２７】従来例を説明するための第３の画面表示一覧表を示す図である。
【図２８】従来例を説明するための第４の画面表示一覧表を示す図である。
【図２９】従来例を説明するための第５の画面表示一覧表を示す図である。
【図３０】従来例を説明するための第６の画面表示一覧表を示す図である。
【図３１】従来例を説明するための第７の画面表示一覧表を示す図である。
【図３２】従来例を説明するための第８の画面表示一覧表を示す図である。
【図３３】従来例を説明するための第９の画面表示一覧表を示す図である。
【図３４】従来例を説明するための第１０の画面表示一覧表を示す図である。
【図３５】従来例を説明するための第１１の画面表示一覧表を示す図である。
【図３６】従来例を説明するための第１２の画面表示一覧表を示す図である。
【図３７】従来例を説明するための第１３の画面表示一覧表を示す図である。
【図３８】従来例を説明するための第１４の画面表示一覧表を示す図である。
【図３９】従来例を説明するための第１５の画面表示一覧表を示す図である。
【符号の説明】
１１　画面
１２　選択手段
１４　データベース
３１　項目検出手段
３２　選択検出手段
３３　読出制御手段
３４　表示制御手段
【図１】
2004005708.tif 000003
【図２】
2004005708.tif 000004
【図３】
2004005708.tif 000005
【図４】
2004005708.tif 000006
【図５】
2004005708.tif 000007
【図６】
2004005708.tif 000008
【図７】
2004005708.tif 000009
【図８】
2004005708.tif 000010
【図９】
2004005708.tif 000011
【図１０】
2004005708.tif 000012
【図１１】
2004005708.tif 000013
【図１２】
2004005708.tif 000014
【図１３】
2004005708.tif 000015
【図１４】
2004005708.tif 000016
【図１５】
2004005708.tif 000017
【図１６】
2004005708.tif 000018
【図１７】
2004005708.tif 000019
【図１８】
2004005708.tif 000020
【図１９】
2004005708.tif 000021
【図２０】
2004005708.tif 000022
【図２１】
2004005708.tif 000023
【図２２】
2004005708.tif 000024
【図２３】
2004005708.tif 000025
【図２４】
2004005708.tif 000026
【図２５】
2004005708.tif 000027
【図２６】
2004005708.tif 000028
【図２７】
2004005708.tif 000029
【図２８】
2004005708.tif 000030
【図２９】
2004005708.tif 000031
【図３０】
2004005708.tif 000032
【図３１】
2004005708.tif 000033
【図３２】
2004005708.tif 000034
【図３３】
2004005708.tif 000035
【図３４】
2004005708.tif 000036
【図３５】
2004005708.tif 000037
【図３６】
2004005708.tif 000038
【図３７】
2004005708.tif 000039
【図３８】
2004005708.tif 000040
【図３９】
2004005708.tif 000041